(57)【要約】【課題】腕に装着される表示デバイスにおいて、ユーザが見やすい表示を行う方法を提案する。【解決手段】表示制御装置は、使用者の腕に装着された表示デバイスの表示を制御する制御部を備え、前記制御部は、前記表示デバイスにおいて表示を行う表示領域の位置情報を取得し、取得した前記位置情報に応じて、前記表示領域の表示を制御する。前記制御部は、前記表示領域の前記腕に対する位置情報を取得し、前記表示領域の前記腕に対する位置に応じて、前記表示を制御する。【選択図】図２
2015141293.tif 000002
【特許請求の範囲】
【請求項１】
使用者の腕に装着された表示デバイスの表示を制御する制御部を備え、
前記制御部は、
前記表示デバイスにおいて表示を行う表示領域の位置情報を取得し、
取得した前記位置情報に応じて、前記表示領域の表示を制御する、表示制御装置。
【請求項２】
前記制御部は、
前記表示領域の前記腕に対する位置情報を取得し、
前記表示領域の前記腕に対する位置に応じて、前記表示を制御する、
請求項１に記載の表示制御装置。
【請求項３】
前記制御部は、
前記腕の回動に関する回動情報を取得し、
前記腕の回動位置に応じて、前記表示を制御する、
請求項１に記載の表示制御装置。
【請求項４】
前記制御部は、
取得した前記位置情報に応じて、前記表示領域の表示向きを制御する、
請求項１に記載の表示制御装置。
【請求項５】
前記表示領域は、長方形の形状を成しており、
前記制御部は、
取得した前記位置情報に応じて、前記表示領域の長手方向に沿う第１向きと、前記表示領域の短手方向に沿う第２向きとの間で、表示向きを切り替える、
請求項４に記載の表示制御装置。
【請求項６】
前記制御部は、
前記第１向きと前記第２向きの間で表示を切り替える際に、段階的に向きを変えるように表示させる、
請求項５に記載の表示制御装置。
【請求項７】
前記表示領域は、第１表示領域と、前記腕から見て前記第１表示領域の反対側に位置する第２表示領域であり、
前記制御部は、
取得した前記位置情報に応じて、前記第１表示領域の表示向きと、前記第２表示領域の表示向きと、を異ならせる、
請求項４に記載の表示制御装置。
【請求項８】
前記制御部は、
取得した前記位置情報に応じて、前記表示領域の表示内容を制御する、
請求項１に記載の表示制御装置。
【請求項９】
前記制御部は、
前記表示領域が前記腕から見て第１側に位置する際の表示内容と、前記表示領域が前記腕から見て前記第１側の反対側である第２側に位置する際の表示内容と、を異ならせる、
請求項８に記載の表示制御装置。
【請求項１０】
前記表示領域は、前記腕から見て片側に設けられている、
請求項９に記載の表示制御装置。
【請求項１１】
前記表示領域は、第１表示領域と、前記腕から見て前記第１表示領域の反対側に位置する第２表示領域であり、
前記制御部は、
取得した前記位置情報に応じて、前記第１表示領域の表示内容と、前記第２表示領域の表示内容と、を異ならせる、
請求項１に記載の表示制御装置。
【請求項１２】
前記制御部は、
前記第２表示領域に、前記第１表示領域の表示内容に関連する表示内容を表示させる、
請求項１１に記載の表示制御装置。
【請求項１３】
使用者の腕に装着された表示デバイスにおいて表示を行う表示領域の位置情報を取得することと、
プロセッサにより、取得した前記位置情報に応じて、前記表示領域の表示を制御することと、
を含む、表示制御方法。
【請求項１４】
コンピュータに、
使用者の腕に装着された表示デバイスにおいて表示を行う表示領域の位置情報を取得することと、
取得した前記位置情報に応じて、前記表示領域の表示を制御することと、
を実行させるための、プログラム。
【請求項１５】
表示を行う表示領域と、
前記表示領域の表示を制御する制御部と、
を備え、使用者の腕に装着される表示デバイスであって、
前記制御部は、
前記表示デバイスにおいて前記表示領域の位置情報を取得し、
取得した前記位置情報に応じて、前記表示領域の表示を制御する、表示デバイス。
【発明の詳細な説明】
【技術分野】
【０００１】
本開示は、表示制御装置、表示制御方法、プログラム、及び表示デバイスに関する。
【背景技術】
【０００２】
近年、ユーザの身体に装着して利用可能なウェアラブル端末の開発が進められている。例えば、特許文献１には、ウェアラブル端末として、ユーザの腕に装着して利用可能な腕輪型デバイスが開示されている。
【先行技術文献】
【特許文献】
【０００３】
【特許文献１】米国特許出願公開２０１３／００４４２１５号明細書
【発明の概要】
【発明が解決しようとする課題】
【０００４】
ところで、上記の腕輪型デバイスは、種々の情報を表示する表示部を有する。この表示部の大きさは、利便性の観点等から制限されている。
【０００５】
一方で、ユーザは、腕輪型端末が装着された腕を動かして様々な姿勢にする。かかる場合に、腕の姿勢によっては、表示部の表示が見難い恐れがある。しかし、かかる点に対して、これまで適切な解決方策が提供されていない。
【０００６】
そこで、本開示では、腕に装着される表示デバイスにおいて、ユーザが見やすい表示を行う方法を提案する。
【課題を解決するための手段】
【０００７】
本開示によれば、使用者の腕に装着された表示デバイスの表示を制御する制御部を備え、前記制御部は、前記表示デバイスにおいて表示を行う表示領域の位置情報を取得し、取得した前記位置情報に応じて、前記表示領域の表示を制御する、表示制御装置が提供される。
【０００８】
また、本開示によれば、使用者の腕に装着された表示デバイスにおいて表示を行う表示領域の位置情報を取得することと、プロセッサにより、取得した前記位置情報に応じて、前記表示領域の表示を制御することと、を含む、表示制御方法が提供される。
【０００９】
また、本開示によれば、コンピュータに、使用者の腕に装着された表示デバイスにおいて表示を行う表示領域の位置情報を取得することと、取得した前記位置情報に応じて、前記表示領域の表示を制御することと、を実行させるための、プログラムが提供される。
【００１０】
また、本開示によれば、表示を行う表示領域と、前記表示領域の表示を制御する制御部と、を備え、使用者の腕に装着される表示デバイスであって、前記制御部は、前記表示デバイスにおいて前記表示領域の位置情報を取得し、取得した前記位置情報に応じて、前記表示領域の表示を制御する、表示デバイスが提供される。
【発明の効果】
【００１１】
以上説明したように本開示によれば、腕に装着される表示デバイスにおいて、ユーザが見やすい表示を行うことが可能となる。
【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の一実施形態に係る腕輪型端末１０の構成の一例を示す図である。
【図２】腕輪型端末１０が使用者の腕に装着された状態を説明するための図である。
【図３】第１変形例に係る腕輪型端末２０が使用者の腕に装着された状態を説明するための図である。
【図４】第２変形例に係る腕輪型端末３０の構成を示す図である。
【図５】一実施形態に係る表示制御装置１００の機能構成の一例を示すブロック図である。
【図６】腕輪型端末１０の表示部１２の縦長表示と横長表示の一例を説明するための図である。
【図７】腕輪型端末１０の表示部１２の縦長表示と横長表示の一例を説明するための図である。
【図８】腕輪型端末２０の第１表示部２２及び第２表示部２６の表示例を説明するための図である。
【図９】メーラーアプリ動作中の第１表示部２２及び第２表示部２６の表示例を説明するための図である。
【図１０】地図アプリ動作中の第１表示部２２及び第２表示部２６の表示例を説明するための図である。
【図１１】動画プレイヤーアプリ動作中の第１表示部２２及び第２表示部２６の表示例を説明するための図である。
【図１２】写真ビューアプリ動作中の第１表示部２２及び第２表示部２６の表示例を説明するための図である。
【図１３Ａ】腕輪型端末１０の表示部１２の表示の変形例を説明するための図である。
【図１３Ｂ】腕輪型端末１０の表示部１２の表示の変形例を説明するための図である。
【図１４Ａ】腕輪型端末２０の第１表示部２２及び第２表示部２６の表示の変形例を説明するための図である。
【図１４Ｂ】腕輪型端末２０の第１表示部２２及び第２表示部２６の表示の変形例を説明するための図である。
【図１５】比較例に係るスマートフォン９００を示す図である。
【図１６】会議やプレゼンテーションにおける腕輪型端末２０の第１表示部２２及び第２表示部２６の表示例を説明するための図である。
【図１７】メール着信時の腕輪型端末１０の表示部１２の位置に応じた表示例を説明するための図である。
【図１８】縦長表示から横長表示へ切り替える際のアニメーションの一例を説明するための模式図である。
【図１９】表示部の表示向きを切り替える際の表示制御装置１００の動作例を示すフローチャートである。
【図２０】一実施形態に係る情報処理装置１００のハードウェア構成例を示した説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．腕輪型端末の概要
２．表示制御装置の機能構成
３．表示例
３−１．縦長表示と横長表示について
３−２．アプリ動作中の表示部の表示例
３−３．プライバシー度を考慮した表示例
３−４．縦長表示と横長表示を切り替える際のアニメーション
４．表示制御装置の動作
５．ハードウェア構成
６．まとめ
【００１６】
＜１．腕輪型端末の概要＞
図１及び図２を参照しながら、本開示の一実施形態に係る表示制御装置が搭載された腕輪型端末の構成の一例について説明する。
【００１７】
図１は、一実施形態に係る腕輪型端末１０の構成の一例を示す図である。図２は、腕輪型端末１０が使用者の腕に装着された状態を説明するための図である。なお、図２の状態８１１が、腕輪型端末１０が装着された腕の表側に示し、状態８１２が、腕輪型端末１０が装着された腕の裏側を示す。なお、腕の表側は、手の甲が見える側を指し、腕の裏側は、手のひらが見える側を指すものとする。
【００１８】
腕輪型端末１０は、図１や図２に示すように、例えば使用者の腕や手首の部分に装着されるウェアラブル端末である。また、腕輪型端末１０は、腕等に装着された状態で種々の情報を表示する表示デバイスである。このような腕輪型端末１０において、使用者は、腕輪型端末１０をカバンやポケットから取り出す行為をせずに、表示画面に表示された情報の確認や操作を即座に行うことが出来る。
【００１９】
腕輪型端末１０は、ベルト部１１と、表示部１２とを有する。ベルト部１１は、腕に巻かれる部分である。表示部１２は、使用者が画面を見やすいように、使用者の腕の片側に位置している。例えば、図２では、表示部１２が腕の表側に位置している。なお、使用者は、使用状況に応じて、腕の表側に位置する表示部１２を腕の裏側に位置するように回動させる。
【００２０】
表示部１２は、表示画面に文字、画像その他の情報を表示する表示領域である。表示部１２による文字、画像、その他の情報の表示は、後述する制御部１２０によって制御される。表示部１２としては、例えば液晶ディスプレイや有機ＥＬディスプレイ等が用いられる。表示部１２は、長方形の形状を成しており、図１では縦長の画面（幅の狭い画面）となっている。なお、表示部１２は、使用者の腕に沿うように曲がっている形状であっても良い。
【００２１】
表示部１２には、操作部としての操作面が重畳されていても良い。操作面は、タッチパネルである。かかる場合に、使用者は、表示部１２の表示画面を見ながら、操作面に対してタッチ操作を行う。これにより、表示画面に表示された情報に対して、所望の情報を選択等できる。
【００２２】
上記では、図２に示すように表示部１２が腕の片側に位置することとしたが、これに限定されない。例えば、図３に示すように、使用者の腕の両側（表側及び裏側）にそれぞれ表示部が設けられても良い。
【００２３】
図３は、第１変形例に係る腕輪型端末２０が使用者の腕に装着された状態を説明するための図である。腕輪型端末２０は、ベルト部２１と、第１表示部２２と、第２表示部２６と、を有する。ベルト部２１は、腕に巻かれる部分である。第１表示部２２、及び第２表示部２６は、それぞれ腕の片側に位置する。例えば、図３の状態８２１に示すように第１表示部２２が腕の表側に位置し、状態８２２に示すように第２表示部２６が腕の裏側に位置する。別言すれば、第２表示部２６は、腕から見て第１表示部２２の反対側に位置する。第１表示部２２と第２表示部２６は、腕輪型端末２０の使用状況に応じて、いずれか一方のみが表示され、又は両方が共に表示されても良い。なお、第１表示部２２が第１表示領域に該当し、第２表示部２６が第２表示領域に該当する。
【００２４】
図３では、第１表示部２２と第２表示部２６が分離しているように示されているが、これに限定されない。例えば、第１表示部２２と第２表示部２６は、繋がっていても良い。かかる場合には、第１表示部２２と第２表示部２６を一つの表示部として、情報を表示可能である。
【００２５】
上記では、図１に示すように幅が狭い表示部１２を有する腕輪型端末１０を例に挙げて説明したが、これに限定されない。例えば、図４に示すように、幅が広い表示部３２を有する腕輪型端末３０であっても良い。図４は、第２変形例に係る腕輪型端末３０の構成を示す図である。
【００２６】
ただし、図４に示すような幅が広い腕輪型端末３０の場合には、例えば表示部３２が衣服の袖に隠れてしまったり、表示部が手首の動きの妨げになる恐れがある。かかる点を考慮すると、幅が狭い腕輪型端末１０、２０を用いた方が好ましい。
【００２７】
＜２．表示制御装置の機能構成＞
図５を参照しながら、一実施形態に係る表示制御装置１００の機能構成の一例について説明する。図５では、腕輪型端末１０と腕輪型端末２０のうちの腕輪型端末１０を制御する表示制御装置１００が示されている。
【００２８】
図５は、一実施形態に係る表示制御装置１００の機能構成の一例を示すブロック図である。図５に示すように、表示制御装置１００は、表示部１２に加えて、姿勢検知部１１０と、制御部１２０と、記憶部１３０と、を有する。
【００２９】
（姿勢検知部１１０）
姿勢検知部１１０は、腕輪型端末１０、２０が装着された腕の姿勢を検知する。例えば、姿勢検知部１１０は、腕の裏返しや回動等による姿勢の変化を検知する。姿勢検知部１１０は、例えば加速度センサやジャイロセンサにより構成される。なお、姿勢検知部１１０は、腕によるジェスチャを検知しても良い。
【００３０】
（制御部１２０）
制御部１２０は、使用者の腕に装着された表示デバイスである腕輪型端末１０の表示を制御する表示制御部である。
【００３１】
本実施形態において、制御部１２０は、腕輪型端末１０において表示を行う表示部１２の位置情報を取得し、取得した前記位置情報に応じて、表示部１２の表示を制御する。ここで、位置情報は、姿勢検知部１１０による検知結果に基づいて取得できる。例えば、制御部１２０は、表示部１２が腕の表側に位置するか裏側に位置するかを取得する。
【００３２】
制御部１２０は、表示部１２の腕に対する位置情報を取得し、表示部１２の腕に対する位置に応じて、表示部１２の表示を制御する。例えば、制御部１２０は、取得した前記位置情報に応じて、表示部１２の表示向きを制御しても良い。表示部１２の位置に応じて、例えばユーザが見るのに適した表示内容の向きが異なる。そこで、表示部１２の腕に対する位置に応じて表示部１２の表示を制御することで、ユーザが見るのに適した表示を行える。
【００３３】
より具体的には、制御部１２０は、取得した前記位置情報に応じて、表示部１２の長手方向に沿う第１向きと、表示部１２の短手方向に沿う第２向きとの間で、表示向きを切り替えても良い。ここで、第１向きの表示は、例えば図６に示す縦長表示であり、第２向きの表示は、図６に示す横長表示である。これにより、表示部１２が腕の表側と裏側のいずれかに位置した際に、表示部１２はユーザが見やすい向きに表示を行うことになる。
【００３４】
ここで、制御部１２０は、第１向きと第２向きの間で表示を切り替える際に、段階的に向きを変えるように表示させても良い。例えば、制御部１２０は、縦長表示から横長表示へ切り替える際に、表示部１２を見るユーザが正対するように表示内容をアニメーションさせる。これにより、表示の切り替え途中でも、ユーザは表示内容を認識しやすい。
【００３５】
また、制御部１２０は、取得した前記位置情報に応じて、表示部１２の表示内容を制御しても良い。例えば、制御部１２０は、表示部１２が腕から見て第１側に位置する際の表示内容と、表示部１２が腕から見て第１側の反対側である第２側に位置する際の表示内容と、を異ならせても良い。具体的には、制御部１２０は、表示部１２が他人に見えやすい位置に位置する場合には、プライバシー度の低い情報を優先して表示させ、表示部１２が他人に見え難い位置に位置する場合には、プライバシー度の高い情報を表示させても良い。これにより、他人にプライバシー度の高い情報を見られることを抑制できる。
【００３６】
制御部１２０は、腕の回動に関する回動情報を取得し、腕の回動位置に応じて、表示部１２の表示を制御しても良い。すなわち、制御部１２０は、姿勢検知部１１０により腕の回動位置を検知することで、表示部１２の位置を正確に把握でき、表示部１２にユーザが見やすい適切な表示を行える。
【００３７】
上記では、腕輪型端末１０の表示部１２の表示制御について説明したが、腕輪型端末２０の第１表示部２２及び第２表示部２６についても同様な制御が可能である。また、制御部１２０は、第１表示部２２及び第２表示部２６による表示について、以下のように制御しても良い。
【００３８】
例えば、制御部１２０は、取得した前記位置情報に応じて、第１表示部２２の表示向きと、第２表示部２６の表示向きと、を異ならせても良い。腕から見て互いに反対側に第１表示部２２と第２表示部２６が設けられている場合には、ユーザが見るのに適した第１表示部２２の表示向きと、ユーザが見るのに適した第２表示部２６の表示向きとが、異なりやすい。そこで、第１表示部２２の表示向きと第２表示部２６の表示向きを異ならせることで、第１表示部２２と第２表示部２６の両方で見やすい表示を実現できる。
【００３９】
また、制御部１２０は、取得した前記位置情報に応じて、第１表示部２２の表示内容と、第２表示部２６の表示内容と、を異ならせても良い。例えば、制御部１２０は、第１表示部２２と第２表示部２６のうちの腕の表側に位置する表示部（例えば、第１表示部２２）にプライバシー度の低い情報を表示させ、腕の裏側に位置する表示部（例えば、第２表示部２６）にプライバシー度の高い情報を表示させても良い。これにより、他人にプライバシー度の高い情報を見られることを抑制できる。
【００４０】
ここで、制御部１２０は、第２表示部２６に、第１表示部２２の表示内容に関連する表示内容を表示させても良い。例えば、制御部１２０は、第１表示部２２にメールのリストを表示させ、第２表示部２６にメール本文を表示させる。これにより、リストの中から所望のメールを選択して、本文を見ることが可能となる。
【００４１】
（記憶部１３０）
記憶部１３０は、制御部１２０が実行するプログラムや、制御部１２０による制御に必要な情報を記憶する。例えば、記憶部１３０は、端末の姿勢と表示部の表示向きとの関係を記憶しても良い。
【００４２】
なお、上記では、腕輪型端末１０が制御部１２０を有することとしたが、これに限定されない。例えば、制御部１２０が、腕輪型端末１０とネットワークを介して通信可能なサーバに設けられても良い。かかる場合には、サーバの制御部１２０が、腕輪型端末１０の姿勢検知部１１０の検知結果に基づいて、表示部１２の表示を制御することになる。このため、サーバが表示制御装置として機能する。
【００４３】
また、上記では、制御部１２０は、表示領域（表示部１２等）の位置に応じて、自動で表示領域の表示を制御することとしたが、これに限定されない。例えば、上記の制御を行うか否か（ＯＮ／ＯＦＦ）の設定をユーザが切り替え可能であり、設定がＯＮの場合に上記の制御が行われても良い。設定がＯＦＦの場合には、表示領域の位置によらず表示領域の表示を行うことになる。
【００４４】
＜３．表示部による表示例＞
上述した腕輪型端末１０の表示部１２や、腕輪型端末２０の第１表示部２２及び第２表示部２６の表示例について説明する。
【００４５】
（３−１．縦長表示と横長表示について）
表示部１２、第１表示部２２、及び第２表示部２６は、それぞれ表示の向きが異なる縦長表示と横長表示を行うことが可能である。以下では、腕輪型端末１０や腕輪型端末２０が装着された腕の姿勢に応じた、縦長表示と横長表示の切り替えについて説明する。
【００４６】
まず、図２に示すように表示部が腕の片側に位置する腕輪型端末１０における表示部１２の表示例について、図６及び図７を参照しながら説明する。
【００４７】
図６は、腕輪型端末１０の表示部１２の縦長表示と横長表示の一例を説明するための図である。ここでは、表示部１２が腕の裏側に位置するものとする。図６に示す表示例では、腕の姿勢に応じて、縦長表示と横長表示が切り替わる。具体的には、状態８３１に示すような腕の姿勢（横向き）の場合には、表示部１２は縦長表示を行い、状態８３２に示すような腕の姿勢（縦向き）の場合には、表示部１２は横長表示を行う。これにより、腕の姿勢に応じてユーザが見やすい表示向きに自動で切り替わることになり、ユーザは容易に表示部１２の表示内容を認識できる。
【００４８】
なお、状態８３２に示すような腕の姿勢（縦向き）の場合においては、ユーザが腕輪型端末１０を左手に付けているか、右手に付けているかによって、腕輪型端末１０に対してどちら側を上側にして横長表示すれば良いかが逆転する。しかし、
いずれの手に付けている場合も、例えば加速度センサにより端末に対する重力加速度の方向を検出し、重力加速度の方向が図のように画面下向きとなるように表示することで、ユーザに見やすい表示を行うことができる。
【００４９】
図７は、腕輪型端末１０の表示部１２の縦長表示と横長表示の一例を説明するための図である。図７に示す状態８３５では、表示部１２が腕の表側に位置しているものとする。その後、状態８３６に示すようにユーザが手で腕輪型端末１０を矢印の向きに回動させて、状態８３７に示すように表示部１２を腕の裏側に位置させている。ここで、状態８３５に示す腕の姿勢（横向き）の場合には、表示部１２は縦長表示を行い、状態８３７に示すような腕の姿勢（縦向き）の場合には、表示部１２は横長表示を行う。なお、表示部１２が腕の裏側に位置する際に、腕が横向きの場合には、表示部１２は縦長表示に行う。これにより、腕の姿勢に応じてユーザが見やすい表示向きに自動で切り替わることになる。
【００５０】
次に、図３に示すように表示部が腕の両側に位置する腕輪型端末２０における第１表示部２２及び第２表示部２６の表示例について、図８を参照しながら説明する。
【００５１】
図８は、腕輪型端末２０の第１表示部２２及び第２表示部２６の表示例を説明するための図である。ここでは、状態８４１に示すように、腕の表側に位置する第１表示部２２が縦長表示を行なっているものとする。その後、状態８４２に示すように腕を反転させて横向きにした場合には、第２表示部２６も縦長表示を行う。この際、第２表示部２６は、第１表示部２２と同一内容を表示する。
【００５２】
一方で、状態８４３に示すように腕を反転させて縦向きにした場合には、第２表示部２６は横長表示を行う。この際、第２表示部２６は、第１表示部２２の表示内容を向きを変えて表示する。なお、第１表示部２２及び第２表示部２６は、一緒に表示を行っても良いし、片方のみが表示を行っても良い。
【００５３】
（３−２．アプリ動作中の表示部の表示例）
次に、アプリケーション動作中の表示部の表示例について説明する。以下では、上述した腕輪型端末１０と腕輪型端末２０のうちの腕輪型端末２０の第１表示部２２及び第２表示部２６を例に挙げて説明する。
【００５４】
（メーラーアプリ）
図９は、メーラーアプリ動作中の第１表示部２２及び第２表示部２６の表示例を説明するための図である。ここでは、状態８５１に示す状態で、第１表示部２２及び第２表示部２６が、メールの一覧を示すトップ画面を縦長表示しているものとする。かかる場合には、２つの表示部を用いてトップ画面を表示できるので、表示可能なメールの数が多くなる。使用者は、腕を反転させることで、第１表示部２２及び第２表示部２６に表示されたリストを見ることができる。
【００５５】
状態８５１において、ユーザが、トップ画面において所望のメールを選択すると、選択したメールの詳細画面が表示される。この際、メールの本文が縦長表示されると、ユーザにとっては本文が読み難いものとなる。そこで、縦長表示のトップ画面においてメールが選択されると、状態８５２に示すように、第２表示部２６は選択されたメールの本文を横長表示する。これにより、ユーザにとって読みやすくメール本文が表示されることになる。なお、状態８５２では、メール本文を読みやすいように、腕が縦向きになっている。
【００５６】
状態８５２に示すメール本文の横長表示から、状態８５１に示すトップ画面の縦長表示への遷移は、ユーザがボタン等を操作することで行なわれる。ただし、これに限定されず、例えば、状態８５２に示す縦向きから横向きに腕が回動すると、トップ画面が横長表示されても良い。このように、アプリの状態において、縦長表示と横長表示が切り替わることで、ユーザにとっては文章が読みやすくなる。上記では、メール本文を例に挙げて説明したが、ニューストピックとニュースの内容を表示するような画面遷移においても、同様な制御により表示が見やすくなる。
【００５７】
なお、腕輪型端末１０の場合においては、以下のように表示が制御されうる。例えば、表示部１２が縦長表示したトップ画面のリストから所望のメールをユーザが選択すると、選択された本文が縦長表示させる。その後、ユーザが腕輪型端末１０を回動すると、縦長表示されたメール本文が横長表示される。これにより、ユーザにとって読みやすくメール本文が表示されることになる。
【００５８】
（地図アプリ）
図１０は、地図アプリ動作中の第１表示部２２及び第２表示部２６の表示例を説明するための図である。地図アプリにおいては、ユーザが表示させたい地図の領域によって、第１表示部２２及び第２表示部２６の適した表示向きが異なる。例えば、縦に広い領域を表示させたい場合には、状態８５５に示すように腕を横向きにすることで、第１表示部２２及び第２表示部２６が地図を縦長表示する。
【００５９】
一方で、横に広い領域を表示させたい場合には、状態８５６に示すように腕を縦向きにすることで、第２表示部２６が地図を横長表示する。これにより、ユーザは、地図アプリの動作中に、腕の姿勢を変える（腕を縦向き又は横向きに変える）ことで、所望の領域を示す地図を見ることができる。
【００６０】
（動画プレイヤーアプリ）
図１１は、動画プレイヤーアプリ動作中の第１表示部２２及び第２表示部２６の表示例を説明するための図である。動画コンテンツは、通常、横長表示が適している。動画プレイヤーアプリが起動した際には、状態８６１に示すように、第１表示部２２及び第２表示部２６は、デフォルトの縦長表示を行う。かかる場合、縦長状態の動画コンテンツは、ユーザにとっては視聴し難い。
【００６１】
そこで、ユーザが状態８６２に示すように腕を縦向きにすると、第２表示部２６が横長表示を行う。これにより、第２表示部２６の横長の画面を有効に活用して、動画を大きく表示させることができる。この結果、ユーザは、適切な向きに表示された動画を快適に視聴することが可能となる。
【００６２】
（写真ビューアアプリ）
図１２は、写真ビューアプリ動作中の第１表示部２２及び第２表示部２６の表示例を説明するための図である。写真コンテンツは、表示される写真が縦長写真か横長写真かによって、適切した表示向きが異なる。例えば、縦長写真を表示させたい場合には、状態８６５に示すように腕を横向きにすることで、第１表示部２２及び第２表示部２６がサムネイルや写真を縦長表示する。
【００６３】
一方で、横長写真を表示させたい場合には、状態８６６に示すように腕を縦向きにすることで、第２表示部２６がサムネイルや写真を横長表示する。これにより、写真ビューアアプリの動作中に、腕の姿勢を変える（腕を縦向き又は横向きに変える）ことで、写真を大きく見やすく表示させることができる。この結果、ユーザは、適切な向きに表示された写真を見ることができる。
【００６４】
上記では、腕輪型端末２０における地図アプリ、動画プレイヤーアプリ、写真ビューアアプリが動作している際の表示例について説明したが、腕輪型端末１０についても、メーラーアプリの動作時の表示例で説明したような制御が可能である。
【００６５】
（変形例）
上記では、アプリの状態や腕の姿勢に応じて、腕輪型端末１０や腕輪型端末２０の縦長表示と横長表示を切り替えることとしたが、これに限定されない。例えば、図１３Ａや図１４Ａに示すように、腕輪型端末１０の表示部１２の表示向きや、腕輪型端末２０の第１表示部２２及び第２表示部２６の表示向きが固定されていても良い。
【００６６】
図１３Ａは、腕輪型端末１０の表示部１２の表示の変形例を説明するための図である。図１３Ａでは、一例として待ち受け画面が表示されている。図１３Ａに示す変形例においては、表示部１２が腕の表側に位置する場合には、状態８７１に示すように、表示部１２は、待ち受け画面を常に縦長表示する。一方で、表示部１２が腕の裏側に位置する場合には、状態８７２に示すように、表示部１２は、待ち受け画面を常に横長表示する。かかる場合には、表示部１２が腕の裏側に位置する際に腕が横向きであっても、表示部１２は横長表示を行うことになる。
【００６７】
図１４Ａは、腕輪型端末２０の第１表示部２２及び第２表示部２６の表示の変形例を説明するための図である。図１４Ａでは、腕の表側に位置する第１表示部２２に、メールのリスト画面が表示され、腕の裏側に位置する第２表示部２６に、メールの本文が表示されている。図１４Ａに示す変形例においては、第１表示部２２は、リスト画面を常に縦長表示し、第２表示部２６は、メール本文を常に横長表示する。すなわち、腕の姿勢にかかわらず、第１表示部２２及び第２表示部２６の表示向きが固定されている。
【００６８】
ここで、メール本文は、横方向に表示エリアを大きく取れる横長表示の方が、表示に適する。また、同様に、１６：９等、元々横長のコンテンツである動画を表示するには、縦長表示よりも横長表示の方が適する。このように、腕の姿勢にかかわらず、コンテンツの種類に応じて、システムが自動的に横長表示と縦長表示を切り替えることも考えられる。
【００６９】
なお、図６に示すように表示部１２の縦長表示と横長表示を腕の姿勢に応じて自動で行う設定と、図１３Ａや図１４Ａに示すように表示部の表示向きを固定する設定は、ユーザ自身が選択可能である。これにより、ユーザの好みに応じた表示を行うことが可能となる。
【００７０】
図２のような腕の片側に画面を有する端末の場合、図１３Ａのように、腕に対する表示画面の位置に応じて表示の向きを変化させるためには、腕輪型端末１０が腕の内側にあるか外側にあるかを判断する手段が必要となる。１つには、加速度センサやジャイロの情報から、歩行中や腕の上げ下げの際に腕輪型端末１０が移動する軌跡を解析し、端末が右手と左手のどちらの手に、内側と外側のどちらに装着されているかを推定することが考えられる。また、２つ目の手段として、腕輪型端末の内側に周上にフォトリフレクタ等のセンサを配置し、腕の外周と端末の内側の面との距離を計測することで、端末が腕の内側にあるか外側にあるかを判定することが考えられる。あるいは、３つ目の手段として、ユーザ自身が画面内の設定メニュー等により、内側と外側のどちらに装着しているかを明示的に設定する方法も考えられる。
【００７１】
このような場合を考えた時、図１３Ｂに示すように、同じように腕の内側に画面がある場合にも、腕輪型端末１０が左手に装着されているか、右手に装着されているかで、表示すべき画面の向きが逆転する。そのため、端末が腕の内側にあるか外側にあるかを判断する手段と別に、端末が右手と左手のどちらに装着されているかを判定する手段を備えることで、より適切に、表示向きを制御することができる。なお、図１３Ｂに示す腕輪型端末１０の一つの側面には、電源ボタン１５が配置されている。端末が右手と左手のどちらに装着されているかを判定する手段としては、例えばユーザ自身による画面内の設定メニュー選択を用いてもよい。その場合、例えば、端末の装着状態の設定項目として、「左手・外側」「左手・内側」「右手・外側」「右手・内側」の４項目を設けることが考えらえる。
【００７２】
さらには、図１３Ｂの各腕の状態（状態８７５〜８７８）において、ユーザが、図に示す方向と、上下または左右の逆方向に端末を装着する可能性もある。そのため、設定メニューの選択項目としては、右／左や内／外の区別をせず、単に、端末の上下左右の４方向の内、どの方向を表示上の「上」として表示を行うかのみを項目としても良い。
【００７３】
また、図１４Ａのように、通常は縦長表示を行い、メール本文や動画等の特定のコンテンツに対しては横長表示を行うような場合にも、図１４Ｂに示すように、左右のどちらの手に腕輪型端末２０を装着しているかによって、横長表示時の表示向きが上下逆転する。そのため、図１４Ａのような表示制御を行う場合にも、端末が右手と左手のどちらに装着されているかを判定する手段を備えることで、より適切に、表示向きを制御することができる。端末が右手と左手のどちらに装着されているかを判定する手段としては、例えばユーザ自身による画面内の設定メニュー選択を用いてもよい。この場合の設定メニューの選択項目としては「左手装着」と「右手装着」の２つとなる。また、前述した図１３Ａの場合と同様に、設定メニューの選択項目としては、右／左の区別をせず、単に端末のどちらの側面を、横長表示時の「上」として表示を行うかのみを項目としても良い。
【００７４】
以上、説明したように、本実施形態に係る腕輪型端末１０や腕輪型端末２０では、腕の姿勢に応じた表示部の位置に応じて、表示部の縦長表示と横長表示が切り替えられる。これにより、ユーザにとって見やすい表示を実現している。
【００７５】
ところで、端末の動きをセンサで検出して画面の向きを変化させるという点では、図１５に示すように、スマートフォン９００等において実現されている画面回転と似た部分がある。すなわち、スマートフォン９００の表示部９１２が縦向きから横向きに変わることで、表示部９１２の画面の向きも縦向きから横向きに変わる。これに対して、本実施形態では、表示部の縦と横の変化に加えて、表と裏の変化も検出して、表示部１２（第１表示部２２及び第２表示部２６）の向きを変えている。図１５は、比較例に係るスマートフォン９００を示す図である。
【００７６】
より具体的に説明する。例えば、スマートフォン９００で画面を地面に水平にした状態で、画面の表示向きの変更を意図して端末の向きを変えた場合には、例えばセンサの重力加速度に変化が生じないため、画面の表示向きは変化しない。これに対して、本実施形態に係る腕輪型端末１０において、画面を地面に水平にした状態で、画面の表示向きの変更を意図して端末の向きを変えた場合には、センサの重力加速度に裏返し操作による変化が生じるため、ユーザの回転意図を正しく検出できる。この結果、画面の表示向きの変更を正しく行うことが可能となる。
【００７７】
また、上記のようにして、画面が地面に対して水平な場合にも、ユーザの回転意図を正しく検出できる。図６では、腕の姿勢の違いにより、画面を縦長と横長で切り替える方法について説明したが、画面ＯＮの時点で画面が水平だった場合は、ユーザが縦長表示を意図している場合と、横長表示を意図している場合とで、センサの重力加速度に差が生じないため、意図の判断が難しい。（ここで、画面ＯＮのトリガとしては、スイッチの押下や、画面のタップなどが考えられる。）しかし、画面ＯＮよりも前から、腕輪型端末１０の姿勢変化を加速度センサおよびジャイロ等により検出することで、腕輪型端末１０の軌道のパターンを検出し、その軌道パターンから、腕輪型端末１０がユーザの体に対して、図６の上図のように横向きの状態か、図６の下図のように縦向きの状態かを判断することができる。よって、画面ＯＮの時点で画面が水平である場合にも、図６の場合と同様に、ユーザの取った姿勢に適した向きで画面を表示することができる。
【００７８】
（３−３．プライバシー度を考慮した表示例）
本実施形態に係る腕輪型端末１０と腕輪型端末２０は、プライバシー度の高い情報を人に見られるリスクを軽減するために、プライバシー度を考慮した表示を行なっている。以下では、腕輪型端末２０によるプライバシー度を考慮した表示例について説明した後に、腕輪型端末１０によるプライバシー度を考慮した表示例について説明する。
【００７９】
（腕輪型端末２０による表示例）
まず、新着メールを受信した場合における腕輪型端末２０の第１表示部２２及び第２表示部２６の表示例について説明する。
【００８０】
腕輪型端末２０が新着メールを受信した際に、腕の表側に位置する第１表示部２２は、新着メールの送り主とタイトルのような瞬時に認識できるようなプライバシー度の低い情報を表示し、腕の裏側に位置する第２表示部２６は、新着メールの本文を表示する。なお、第１表示部２２に表示される内容は、ユーザが任意に設定できることが望ましい。
【００８１】
日常の生活行動において、人の手首の裏側は他の人からは見えにくいため、メール本文を第２表示部２６に表示させることで、プライバシーが守られる。また、第１表示部２２がメールの送り主やタイトルを表示することで、新着メールのノーティフィケーションに気付いたユーザが、メール本文を瞬時に確認しやすくなる。
【００８２】
次に、図１６を参照しながら、会議やプレゼンテーションにおける腕輪型端末２０の第１表示部２２及び第２表示部２６の表示例について説明する。
【００８３】
図１６は、会議やプレゼンテーションにおける腕輪型端末２０の第１表示部２２及び第２表示部２６の表示例を説明するための図である。図１６では、腕の表側に位置する第１表示部２２が、状態８８１に示すように、プライバシー度が低い人に見られても良い情報（例えば、時計表示等）を表示する。一方で、腕の裏側に位置する第２表示部２６が、状態８８２に示すように、プライバシー度の高い人に見られたくない情報（例えば、話す内容のメモ等）を表示する。
【００８４】
これにより、会議やプレゼンテーション中にメモを取っている時やパソコン作業をしているときなど自然な手の状態にある際は、相手に表側が向けられているが、裏側を確認したいとき、特別なタップやスワイプなどの操作なしに手首を自身に向けることで内容を瞬時に確認できる。また、時間など周囲に見られても問題がなく、かつ、自身も確認したいコンテンツは表側画面に常に表示することができる。
【００８５】
なお、第２表示部２６は、例えばユーザの特定のジェスチャ（一例として、図１６の状態８８２に示すように、プレゼンテーション相手に手の甲側を見せるようなジェスチャ）時にのみ、表示させても良い。又は、第２表示部２６の周囲等に配置されたカメラ等による顔検出等により、腕の裏側をユーザが見ていることが検出された場合にのみ、第２表示部２６が表示しても良い。かかる場合には、プライバシー度の高い情報を他の人に見られることを、より有効に防止できる。
【００８６】
（腕輪型端末１０による表示例）
図１７を参照しながら、メール着信時の腕輪型端末１０の表示部１２の位置に応じた表示例について説明する。
【００８７】
図１７は、メール着信時の腕輪型端末１０の表示部１２の位置に応じた表示例を説明するための図である。図１７では、表示部１２の腕の装着位置に応じて、メール着信時の表示部１２の表示内容が異なる。
【００８８】
例えば、状態８８５に示すように、表示部１２が腕の表側に位置する場合には、メール着信時に、表示部１２は、まず着信メールの送り主とタイトルのような瞬時に認識できるようなプライバシー度の低い情報を表示する。この際、これらの情報は文字数が少ないので、表示部１２は縦長表示を行う。その後、ユーザが画面のタップ操作を行うことで、表示部１２が、プライバシー度が高いメール本文を表示する。これにより、メール着信時に、プライバシー度の高いメール本文を、ユーザの意図せずに他人に見られることを防止できる。
【００８９】
一方で、状態８８６に示すように、表示部１２が腕の裏側に位置する場合には、メール着信時に、表示部１２は、送り主とタイトルの情報に加えて、メール本文を最初から表示させる。この際、メール本文を見やすくするために、表示部１２は横長表示を行う。これにより、ユーザがメール本文を表示させるためのタップ等の操作を省くことができる。また、表示部１２が腕の裏側に位置するため、メール着信時にメール本文を表示させても、他人に見られるリスクは低い。
【００９０】
（３−４．縦長表示と横長表示を切り替える際のアニメーション）
本実施形態に係る腕輪型端末は、縦長表示と横長表示を切り替える際に、表示内容をユーザが見やすくするための遷移アニメーションを行う。以下では、図８で説明した状態８４１の第１表示部２２による縦長表示から状態８４３の第２表示部２６による横長表示へ切り替わる際のアニメーションについて、図１８を参照しながら説明する。
【００９１】
図１８は、縦長表示から横長表示へ切り替える際のアニメーションの一例を説明するための模式図である。図１８では、まず状態８４１に示すように、腕が横向きである。この際、第１表示部２２が縦長表示している一方で、第２表示部２６は表示していないものとする（状態８９１）。この際、第１表示部２２に表示される文字は、線Ｌに示す横向きに配列されている。
【００９２】
その後、ユーザが横向きの腕を反転させつつ、腕を縦向きに姿勢を変える（状態８４３）。この姿勢の変化に伴い、第１表示部２２と第２表示部２６における表示が、状態８９２〜８９４のように遷移する。すなわち、第１表示部２２に横向きに配列されていた文字が、徐々に傾いていき、第２表示部２６で９０度回転して配列されることになる。
【００９３】
かかる場合には、第１表示部２２による縦長表示から第２表示部２６による横長表示へ切り替わる際に、アニメーションされる表示内容が、ユーザの目線に対して常に正対する。これにより、ユーザは、腕を回転させる途中でも、第１表示部２２及び第２表示部２６に表示された表示内容を適切に認識できる。
【００９４】
なお、上記では、第１表示部２２による縦長表示から第２表示部２６による横長表示へ切り替わる際のアニメーションについて説明したが、横長表示から縦長表示へ切り替わる際のアニメーションも同様である。
【００９５】
＜４．表示制御装置の動作＞
図１９を参照しながら、表示部の表示向きを切り替える際の表示制御装置１００の動作の一例について説明する。ここでは、表示部として、腕輪型端末２０の第１表示部２２及び第２表示部２６を例に挙げて説明する。
【００９６】
図１９は、表示部の表示向きを切り替える際の表示制御装置１００の動作例を示すフローチャートである。図１９に示す処理は、表示制御装置１００のＣＰＵが、ＲＯＭに格納されているプログラムを実行することにより、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００９７】
図１９のフローチャートは、メーラーアプリ等のアプリケーションが起動して、第１表示部２２が第１向きに表示を行なっているところから開始される（ステップＳ１０２）。ここでは、第１向きの表示が縦長表示であり、第１表示部２２が例えばメールの一覧のリストを表示しているものとする。
【００９８】
次に、姿勢検知部１１０は、腕輪型端末２０が装着された腕の姿勢が変化したか否かを検知する（ステップＳ１０４）。例えば、姿勢検知部１１０は、ユーザが第１表示部２２に表示されたリストから所望のメールを選択した後に、腕の姿勢を横向きから縦向きに変化したか否かを検知する。
【００９９】
そして、ステップＳ１０４で姿勢の変化が検知されない場合には（Ｎｏ）、制御部１２０は、第１表示部２２による縦長表示を継続させる。
【０１００】
一方で、ステップＳ１０４で姿勢の変化が検知された場合には（Ｙｅｓ）、制御部１２０は、第１表示部２２による縦長表示から第２表示部２６による横長表示へ切り替える（ステップＳ１０６）。すなわち、第２表示部２６は、メール本文を横長表示する。これにより、ユーザは、リストから選択されたメールの本文の内容を容易に理解できる。
【０１０１】
＜５．ハードウェア構成＞
上述した表示制御装置１００による動作は、表示制御装置１００が備えるハードウェア構成とソフトウェアとが協働することにより実現される。そこで、以下では、表示制御装置１００のハードウェア構成を説明する。
【０１０２】
図２０は、一実施形態に係る表示制御装置１００のハードウェア構成例を示した説明図である。図２０に示すように、表示制御装置１００は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、入力装置２０８と、出力装置２１０と、ストレージ装置２１１と、ドライブ２１２と、通信装置２１５とを備える。
【０１０３】
ＣＰＵ２０１は、演算処理装置および制御装置として機能し、各種プログラムに従って表示制御装置１００内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一時記憶する。これらはＣＰＵバスなどから構成されるホストバスにより相互に接続されている。
【０１０４】
入力装置２０８は、マウス、キーボード、タッチパネル、タッチパッド、ボタン、マイクロフォン、スイッチおよびレバーなどユーザが情報を入力するための入力手段と、ユーザによる入力に基づいて入力信号を生成し、ＣＰＵ２０１に出力する入力制御回路などから構成されている。表示制御装置１００のユーザは、該入力装置２０８を操作することにより、表示制御装置１００に対して各種のデータを入力したり処理動作を指示したりすることができる。
【０１０５】
出力装置２１０は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置２１０は、スピーカおよびヘッドホンなどの音声出力装置を含む。例えば、表示装置は、撮像された画像や生成された画像などを表示する。一方、音声出力装置は、音声データ等を音声に変換して出力する。
【０１０６】
ストレージ装置２１１は、本実施形態にかかる表示制御装置１００の記憶部の一例として構成されたデータ格納用の装置である。ストレージ装置２１１は、記憶媒体、記憶媒体にデータを記録する記録装置、記憶媒体からデータを読み出す読出し装置および記憶媒体に記録されたデータを削除する削除装置などを含んでもよい。このストレージ装置２１１は、ＣＰＵ２０１が実行するプログラムや各種データを格納する。
【０１０７】
ドライブ２１２は、記憶媒体用リーダライタであり、表示制御装置１００に内蔵、あるいは外付けされる。ドライブ２１２は、装着されている磁気ディスク、光ディスク、光磁気ディスク、または半導体メモリ等のリムーバブル記憶媒体２２０に記録されている情報を読み出して、ＲＡＭ２０３に出力する。また、ドライブ２１２は、リムーバブル記憶媒体２２０に情報を書き込むこともできる。
【０１０８】
通信装置２１５は、例えば、ネットワーク２３０に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【０１０９】
なお、ネットワーク２３０は、ネットワーク２３０に接続されている装置から送信される情報の有線、または無線の伝送路である。例えば、ネットワーク２３０は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク２３０は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【０１１０】
＜６．まとめ＞
上述した実施形態によれば、腕輪型端末１０、２０において、腕の姿勢に応じて表示部の縦長表示と横長表示を適切に切り替えることで、ユーザは、表示部に表示された内容を見やすくなる。特に、センサの検出や表示内容に応じて、自動的に表示の向きを切り替えることにより、ユーザは、操作をしなくても、所望の向きに表示された内容を見ることが可能となる。
【０１１１】
また、プライバシー度の低い情報を腕の表側に位置する表示部に表示させ、プライバシー度の高い情報を腕の裏側に位置する表示部に表示させるように切り分けることで、プライバシー度の高い情報が他人に見られることを抑制できる。
【０１１２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１４】
なお、以下のような構成も本開示の技術的範囲に属する。
（１）
使用者の腕に装着された表示デバイスの表示を制御する制御部を備え、
前記制御部は、
前記表示デバイスにおいて表示を行う表示領域の位置情報を取得し、
取得した前記位置情報に応じて、前記表示領域の表示を制御する、表示制御装置。
（２）
前記制御部は、
前記表示領域の前記腕に対する位置情報を取得し、
前記表示領域の前記腕に対する位置に応じて、前記表示を制御する、
前記（１）に記載の表示制御装置。
（３）
前記制御部は、
前記腕の回動に関する回動情報を取得し、
前記腕の回動位置に応じて、前記表示を制御する、
前記（１）又は（２）に記載の表示制御装置。
（４）
前記制御部は、
取得した前記位置情報に応じて、前記表示領域の表示向きを制御する、
前記（１）〜（３）のいずれか１項に記載の表示制御装置。
（５）
前記表示領域は、長方形の形状を成しており、
前記制御部は、
取得した前記位置情報に応じて、前記表示領域の長手方向に沿う第１向きと、前記表示領域の短手方向に沿う第２向きとの間で、表示向きを切り替える、
前記（４）に記載の表示制御装置。
（６）
前記制御部は、
前記第１向きと前記第２向きの間で表示を切り替える際に、段階的に向きを変えるように表示させる、
前記（５）に記載の表示制御装置。
（７）
前記表示領域は、第１表示領域と、前記腕から見て前記第１表示領域の反対側に位置する第２表示領域であり、
前記制御部は、
取得した前記位置情報に応じて、前記第１表示領域の表示向きと、前記第２表示領域の表示向きと、を異ならせる、
前記（４）〜（６）のいずれか１項に記載の表示制御装置。
（８）
前記制御部は、
取得した前記位置情報に応じて、前記表示領域の表示内容を制御する、
前記（１）〜（７）のいずれか１項に記載の表示制御装置。
（９）
前記制御部は、
前記表示領域が前記腕から見て第１側に位置する際の表示内容と、前記表示領域が前記腕から見て前記第１側の反対側である第２側に位置する際の表示内容と、を異ならせる、
前記（８）に記載の表示制御装置。
（１０）
前記表示領域は、前記腕から見て片側に設けられている、
前記（９）に記載の表示制御装置。
（１１）
前記表示領域は、第１表示領域と、前記腕から見て前記第１表示領域の反対側に位置する第２表示領域であり、
前記制御部は、
取得した前記位置情報に応じて、前記第１表示領域の表示内容と、前記第２表示領域の表示内容と、を異ならせる、
前記（１）〜（３）のいずれか１項に記載の表示制御装置。
（１２）
前記制御部は、
前記第２表示領域に、前記第１表示領域の表示内容に関連する表示内容を表示させる、
前記（１１）に記載の表示制御装置。
（１３）
使用者の腕に装着された表示デバイスにおいて表示を行う表示領域の位置情報を取得することと、
プロセッサにより、取得した前記位置情報に応じて、前記表示領域の表示を制御することと、
を含む、表示制御方法。
（１４）
コンピュータに、
使用者の腕に装着された表示デバイスにおいて表示を行う表示領域の位置情報を取得することと、
取得した前記位置情報に応じて、前記表示領域の表示を制御することと、
を実行させるための、プログラム。
（１５）
表示を行う表示領域と、
前記表示領域の表示を制御する制御部と、
を備え、使用者の腕に装着される表示デバイスであって、
前記制御部は、
前記表示デバイスにおいて前記表示領域の位置情報を取得し、
取得した前記位置情報に応じて、前記表示領域の表示を制御する、表示デバイス。
【符号の説明】
【０１１５】
１０    腕輪型端末
１２    表示部
２０    腕輪型端末
２２    第１表示部
２６    第２表示部
１００    表示制御装置
１１０    姿勢検知部
１２０    制御部
【図１】
2015141293.tif 000003
【図２】
2015141293.tif 000004
【図３】
2015141293.tif 000005
【図４】
2015141293.tif 000006
【図５】
2015141293.tif 000007
【図６】
2015141293.tif 000008
【図７】
2015141293.tif 000009
【図８】
2015141293.tif 000010
【図９】
2015141293.tif 000011
【図１０】
2015141293.tif 000012
【図１１】
2015141293.tif 000013
【図１２】
2015141293.tif 000014
【図１３Ａ】
2015141293.tif 000015
【図１３Ｂ】
2015141293.tif 000016
【図１４Ａ】
2015141293.tif 000017
【図１４Ｂ】
2015141293.tif 000018
【図１５】
2015141293.tif 000019
【図１６】
2015141293.tif 000020
【図１７】
2015141293.tif 000021
【図１８】
2015141293.tif 000022
【図１９】
2015141293.tif 000023
【図２０】
2015141293.tif 000024